(57)【要約】【課題】操作性及び視認性に優れる操作装置を提供する。【解決手段】  タッチパネルディスプレイ１３０は、仮想キーを含むコピーモード基本画面を表示する表示パネル１３２と、仮想キーに対する入力操作を受付けるタッチパネル１３４と、を含む。コピーモード基本画面には、仮想キーとして、コピー部数を入力するための仮想テンキー群が表示される。タッチパネルディスプレイ１３０は、原稿読取部１０２によって画像データが入力される際に、コピーモード基本画面に対し、画像データに基づくプレビュー画像を、仮想テンキー群に対して優先して表示させるようにする。【選択図】図３
2012048526.tif 000002
【特許請求の範囲】
【請求項１】
画像データを入力する画像入力手段と、前記入力された画像データを出力する出力手段と、を含む画像処理装置に備えられる操作装置であって、
仮想キーを表示する表示領域を含む表示手段と、
前記仮想キーに対する入力操作を受付ける第１の入力受付手段と、を含み、
前記表示領域には、前記仮想キーとして、前記出力手段による出力に関する設定値を入力するためのテンキーが表示され、
前記操作装置はさらに、
前記画像入力手段によって画像データが入力される際に、前記表示手段に対し、前記画像データに基づく画像を、前記テンキーに対して優先して表示させる第１の表示制御手段を含む、操作装置。
【請求項２】
前記操作装置はさらに、
前記画像入力手段によって画像データが入力される際に、前記表示領域に対し、前記テンキーを前記画像に対して優先して表示することを要求するための要求キーを、前記テンキーに代えて表示させる要求キー表示手段を含む、請求項１に記載の操作装置。
【請求項３】
前記表示手段は、前記出力手段による出力に関する設定値を表示する設定値表示領域をさらに含み、
前記要求キー表示手段は、前記要求キーを、前記設定値表示領域の近傍に表示させる、請求項２に記載の操作装置。
【請求項４】
前記操作装置はさらに、
前記テンキーを前記画像に対して優先して表示することを要求する指示を受付ける指示受付手段と、
前記指示受付手段が前記指示を受付けたことに応答して、前記表示手段に対し、前記画像の少なくとも一部が表示されるように、前記テンキーを、前記画像の前面に重ねて表示させる第２の表示制御手段と、を含む請求項１に記載の操作装置。
【請求項５】
前記テンキーは、透過性画像である、請求項４に記載の操作装置。
【請求項６】
前記操作装置はさらに、
前記画像に対する入力操作を受付ける第２の入力受付手段と、
前記第２の入力受付手段が前記入力操作を受付けたことに応答して、前記表示手段に対し、前記テンキーを前記画像に対して優先して表示することを要求するための要求キーを、前記テンキーに代えて表示させる要求キー表示手段を含む、請求項４又は請求項５に記載の操作装置。
【請求項７】
前記操作装置はさらに、
前記テンキーに対する入力操作がなされない状態で予め定める所定時間が経過したことに応答して、前記表示手段に対し、前記テンキーを前記画像に対して優先して表示することを要求するための要求キーを、前記テンキーに代えて表示させる要求キー表示手段を含む、請求項４又は請求項５に記載の操作装置。
【請求項８】
前記表示領域には、前記仮想キーとして、前記出力手段による出力の開始を要求するための開始キーが常に表示される、請求項１から請求項７のいずれか１つに記載の操作装置。
【請求項９】
前記操作装置はさらに、
前記開始キーに対する入力操作を受付ける開始指示受付手段と、
前記開始指示受付手段が前記入力操作を受付けたことに応答して、前記表示手段の表示状態を、前記画像入力手段によって画像データが入力される前の状態に戻す復帰手段と、を含む請求項８に記載の操作装置。
【請求項１０】
請求項１から請求項９のいずれか１つに記載の操作装置と、
画像データを入力する前記画像入力手段と、
前記入力された画像データを出力する前記出力手段と、を含む画像処理装置。
【請求項１１】
画像データを入力する画像入力手段と、前記入力された画像データを出力する出力手段と、を含む画像処理装置に備えられ、仮想キーを表示する表示領域を含む表示手段と、前記仮想キーに対する入力操作を受付ける入力受付手段と、を含む操作装置における表示方法であって、
前記表示領域に対し、前記仮想キーとして、前記出力手段による出力に関する設定値を入力するためのテンキーを表示するステップと、
前記画像入力手段によって画像データが入力される際に、前記表示手段に対し、前記画像データに基づく画像を、前記テンキーに対して優先して表示させるステップと、を含む、表示方法。
【発明の詳細な説明】
【技術分野】
【０００１】
本発明は、操作装置、画像処理装置、及び、表示方法に関し、特には、表示の切替えを行なう技術に関する。
【背景技術】
【０００２】
従来、タッチパネルが搭載される表示装置の画面に、ソフトウェアキーである仮想テンキーを表示し、操作可能とする技術が知られている。
【０００３】
例えば、後掲の特許文献１には、モード選択キーにより簡単操作モードを選択した場合に、タッチパネルに対し、簡単操作モードでの操作に利用される、第２のスタートキー、設定キー、及びテンキー等の各種ソフトキーを含む操作画面を表示させる画像処理装置が開示されている。また後掲の特許文献２には、ユーザによって操作される際にユーザの挙動を検出し、検出結果に基づいて、表示操作部に表示される表示部、テンキー、及びスタートキー等の配置を切替える画像形成装置が開示されている。
【０００４】
さらに、従来、表示装置の画面にプレビュー画像を表示し、仕上がり状態の確認、及び画像処理に対する指示を可能とする技術が知られている。
【０００５】
例えば、特許文献３には、複数のプレビュー画像のうちの一部を強調表示するための条件である強調条件を取得し、取得された強調条件に従って、複数のプレビュー画像のうちの強調条件に合致するプレビュー画像を強調表示する画像処理装置が開示されている。
【先行技術文献】
【特許文献】
【０００６】
【特許文献１】特開２００９−１７７５２６号公報
【特許文献２】特開２００３−１３１５２８号公報
【特許文献３】特開２００８−２０３４３９号公報
【発明の概要】
【発明が解決しようとする課題】
【０００７】
特許文献１〜３に開示される技術では、プレビュー画像と仮想テンキーとの表示切替えを行なう技術については全く考慮されていない。そのため、プレビュー画像の確認及び仮想テンキーに対する入力操作を所望するユーザに対して、操作性及び視認性に優れる操作装置を提供することはできない。
【０００８】
本発明の目的は、操作性及び視認性に優れる操作装置、画像処理装置、及び、表示方法を提供することである。
【課題を解決するための手段】
【０００９】
本発明の第１の局面に係る操作装置は、画像データを入力する画像入力手段と、入力された画像データを出力する出力手段と、を含む画像処理装置に備えられる操作装置である。この操作装置は、仮想キーを表示する表示領域を含む表示手段と、仮想キーに対する入力操作を受付ける第１の入力受付手段と、を含む。表示領域には、仮想キーとして、出力手段による出力に関する設定値を入力するためのテンキーが表示される。操作装置はさらに、画像入力手段によって画像データが入力される際に、表示手段に対し、画像データに基づく画像を、テンキーに対して優先して表示させる第１の表示制御手段を含む。
【００１０】
このように、画像データの入力待機時には、表示領域には、出力手段による出力に関する設定値を入力するためのテンキーが表示されるので、ユーザは、画像データの入力待機時には、テンキーの表示を要求することなく、テンキーに対する通常の入力操作を行なうことができる。したがって、ユーザの操作性に優れる操作装置を得ることができる。
【００１１】
また、画像データが入力される際、すなわち、ユーザが画像の内容の確認を所望する可能性が高い場合には、表示手段には、画像データに基づく画像が、テンキーに対して優先して表示される。したがって、ユーザの視認性に優れる操作装置を得ることができる。
【００１２】
好ましくは、操作装置はさらに、画像入力手段によって画像データが入力される際に、表示領域に対し、テンキーを画像に対して優先して表示することを要求するための要求キーを、テンキーに代えて表示させる要求キー表示手段を含む。これによって、画像データが入力される際には、テンキーの表示が終了されるので、ユーザは、画像の内容をより一層容易に確認することができる。また、ユーザは、出力に関する設定値の入力を所望する場合には、要求キーに対する入力操作を行なうことで、テンキーを画像に対して優先して表示させることができる。したがって、ユーザの操作性がより一層向上する。
【００１３】
より好ましくは、表示手段は、出力手段による出力に関する設定値を表示する設定値表示領域をさらに含み、要求キー表示手段は、要求キーを、設定値表示領域の近傍に表示させる。これによって、要求キーの機能がより理解され易くなるとともに、ユーザは、出力に関する設定値の入力を所望する場合に、要求キーの位置を容易に探し出すことができるので、要求キーに対する入力操作をより一層容易に行なうことができるようになる。したがって、ユーザの操作性がさらに向上する。
【００１４】
さらに好ましくは、操作装置はさらに、テンキーを画像に対して優先して表示することを要求する指示を受付ける指示受付手段と、指示受付手段が指示を受付けたことに応答して、表示手段に対し、画像の少なくとも一部が表示されるように、テンキーを、画像の前面に重ねて表示させる第２の表示制御手段と、を含む。これによって、テンキーが画像の前面に表示された場合であっても、ユーザは、画像の内容の一部を確認することができるので、どの画像に対して出力に対する設定を行なうのかを理解して、設定値の入力を行なうことができる。したがって、戸惑うことなく安心して画像に対する設定を行なうことができる。
【００１５】
さらに好ましくは、テンキーは、透過性画像である。これによって、テンキーが画像の前面に表示された場合であっても、ユーザは、画像の内容を容易に確認することができる。その結果、どの画像に対して出力に対する設定を行なうのかをより一層容易に理解して、設定値の入力を行なうことができる。したがって、戸惑うことなく安心して画像に対する設定を行なうことができる。
【００１６】
さらに好ましくは、操作装置はさらに、画像に対する入力操作を受付ける第２の入力受付手段と、第２の入力受付手段が入力操作を受付けたことに応答して、表示領域に対し、テンキーを画像に対して優先して表示することを要求するための要求キーを、テンキーに代えて表示させる要求キー表示手段を含む。これによって、ユーザは、画像の内容の確認を所望する場合には、少なくとも一部が表示される画像に対する入力操作を行なうことで、テンキーの表示を終了させることができる。その結果、ユーザは、容易に、画像の内容を確認することができる。さらに、ユーザは、出力に関する設定値の入力を所望する場合には、要求キーに対する入力操作を行なうことで、容易に、テンキーを画像に対して優先して表示させることができる。したがって、ユーザの操作性がより一層向上する。
【００１７】
さらに好ましくは、操作装置はさらに、テンキーに対する入力操作がなされない状態で予め定める所定時間が経過したことに応答して、表示手段に対し、テンキーを画像に対して優先して表示することを要求するための要求キーを、テンキーに代えて表示させる要求キー表示手段を含む。これによって、ユーザが出力に関する設定値の入力を所望していない場合には、テンキーの表示が自動的に終了されるので、ユーザは、画像の内容を確認し易くなる。その結果、ユーザの利便性がより一層向上する。
【００１８】
さらに好ましくは、表示領域には、仮想キーとして、出力手段による出力の開始を要求するための開始キーが常に表示される。これによって、ユーザは、開始キーに対する入力操作を行なうことで、表示手段がどのような表示状態である場合においても、即座に出力手段による出力を実行させることができる。したがって、ユーザの利便性がさらに向上する。
【００１９】
さらに好ましくは、操作装置はさらに、開始キーに対する入力操作を受付ける開始指示受付手段と、開始指示受付手段が入力操作を受付けたことに応答して、表示手段の表示状態を、画像入力手段によって画像データが入力される前の状態に戻す復帰手段と、を含む。これによって、出力手段による画像データの出力の終了時には、表示領域にテンキーが表示された状態となる。これによって、ユーザは、画像データの入力待機時には、テンキーの表示を要求することなく、テンキーに対する通常の入力操作を行なうことができる。その結果、ユーザの操作性がさらに向上する。
【００２０】
本発明の第２の局面に係る画像処理装置は、上記操作装置と、画像データを入力する上記画像入力手段と、入力された画像データを出力する上記出力手段と、を含む画像処理装置である。このように、画像処理装置は、上記した操作性及び視認性に優れる操作装置を備えるので、ユーザの操作ミスに起因する出力手段の出力ミス等を低減することができる。したがって、ユーザの利便性の高い画像処理装置を得ることができる。
【００２１】
本発明の第３の局面に係る表示方法は、画像データを入力する画像入力手段と、入力された画像データを出力する出力手段と、を含む画像処理装置に備えられ、仮想キーを表示する表示領域を含む表示手段と、仮想キーに対する入力操作を受付ける入力受付手段と、を含む操作装置における表示方法である。この表示方法は、表示領域に対し、仮想キーとして、出力手段による出力に関する設定値を入力するためのテンキーを表示するステップと、画像入力手段によって画像データが入力される際に、表示手段に対し、画像データに基づく画像を、テンキーに対して優先して表示させるステップと、を含む。
【００２２】
このように、画像データの入力待機時には、表示領域には、出力手段による出力に関する設定値を入力するためのテンキーが表示されるので、ユーザは、画像データの入力待機時には、テンキーの表示を要求することなく、テンキーに対する通常の入力操作を行なうことができる。したがって、ユーザの操作性に優れる操作装置を得ることができる。
【００２３】
また、画像データが入力される際、すなわち、ユーザが画像の内容の確認を所望する可能性が高い場合には、表示手段には、画像データに基づく画像が、テンキーに対して優先して表示される。したがって、ユーザの視認性に優れる操作装置を得ることができる。
【発明の効果】
【００２４】
本発明によれば、画像データの入力待機時には、表示領域には、出力手段による出力に関する設定値を入力するためのテンキーが表示されるので、ユーザは、画像データの入力待機時には、テンキーの表示を要求することなく、テンキーに対する通常の入力操作を行なうことができる。したがって、ユーザの操作性に優れる操作装置を得ることができる。
【００２５】
また、画像データが入力される際、すなわち、ユーザが画像の内容の確認を所望する可能性が高い場合には、表示手段には、画像データに基づく画像が、テンキーに対して優先して表示される。したがって、ユーザの視認性に優れる操作装置を得ることができる。
【図面の簡単な説明】
【００２６】
【図１】本発明の一実施の形態に係る画像形成装置の外観構成を示す図である。
【図２】図１に示す画像形成装置の内部構成を簡略化して示す図である。
【図３】図１に示す画像形成装置の電気的構成を示すブロック図である。
【図４】各種動作モードの基本画面の基本レイアウト構成を示す図である。
【図５】初期画面としてのコピーモード基本画面の一例を示す図である。
【図６】初期画面としてのＦＡＸモード基本画面の一例を示す図である。
【図７】コピーモード処理を実現するためのコンピュータプログラムの制御構造をフローチャート形式で示す図である。
【図８】コピーモード処理を実現するためのコンピュータプログラムの制御構造をフローチャート形式で示す図である。
【図９】ＦＡＸモード処理を実現するためのコンピュータプログラムの制御構造をフローチャート形式で示す図である。
【図１０】ＦＡＸモード処理を実現するためのコンピュータプログラムの制御構造をフローチャート形式で示す図である。
【図１１】スキャンイン処理を終了したときのコピーモード基本画面の状態を示す図である。
【図１２】テンキーアイコンがタッチされたときのコピーモード基本画面の状態を示す図である。
【図１３】プレビュー画像がタッチされたときのコピーモード基本画面の状態を示す図である。
【図１４】スキャンイン処理を終了したときのＦＡＸモード基本画面の状態を示す図である。
【図１５】タブキーに対するジェスチャー操作が行なわれたときのＦＡＸモード基本画面の状態を示す図である。
【図１６】番号表示領域がタッチされたときのＦＡＸモード基本画面の状態を示す図である。
【図１７】プレビュー画像がタッチされたときのＦＡＸモード基本画面の状態を示す図である。
【図１８】透過型の仮想テンキー群の一例を示す図である。
【図１９】要求キーとして、機能選択領域に表示される設定キーが使用される場合のコピーモード基本画面の一例を示す図である。
【図２０】初期画面としてのコピーモード基本画面の一例を示す図である。
【図２１】図１９に示す要求キーとしての設定キーがタッチされた場合のコピーモード基本画面の状態を示す図である。
【発明を実施するための形態】
【００２７】
以下の説明及び図面においては、同一の部品には同一の参照符号及び名称を付してある。それらの機能も同様である。したがって、それらについての詳細な説明は繰返さない。
【００２８】
［画像形成装置１００］  
図１〜図３を参照して、本発明の一実施の形態に係る画像形成装置１００は、スキャナ機能、コピー機能、及び、ファクシミリ（以下「ＦＡＸ」と記す。）機能等を備えるＭＦＰ（Ｍｕｌｔｉｆｕｎｃｔｉｏｎ  Ｐｒｉｎｔｅｒ）である。画像形成装置１００は、ユーザによって、コピーモード及びＦＡＸモード等の動作モードのうちのいずれかが設定されることで、設定された動作モードに対応する処理を実行する。
【００２９】
〈ハードウェア構成〉  
［画像形成装置１００の操作ユニット１２０］  
図１及び図３を参照して、画像形成装置１００は、操作ユニット１２０を含む。操作ユニット１２０は、画像形成装置１００の上部正面側に、ユーザが目視しやすいように傾斜して設けられる板状の操作パネルである。操作ユニット１２０は、操作ユニット１２０の表面の中央部から左側領域にかけて配置されるタッチパネルディスプレイ１３０と、操作ユニット１２０の表面の右側領域に配置される表示操作部１４０と、を含む。タッチパネルディスプレイ１３０と表示操作部１４０とは一つの筐体に保持され、操作ユニット１２０は全体として一体となるように構成される。操作ユニット１２０は、入出力インターフェイス（図示せず。）を介して、後述するＣＰＵ３００と通信を行なう。
【００３０】
タッチパネルディスプレイ１３０は、表示パネル１３２と、タッチパネル１３４とが重ねて構成されるタッチパネル一体型液晶表示装置である。表示パネル１３２には、画像形成装置１００が実行可能な複数の動作モードから所望の動作モードを選択するためのホーム画面（図示せず。）、及び、各種動作モードにおける各種機能及びパラメータの設定等を行なうための基本画面等が表示される。表示パネル１３２の表示動作はＣＰＵ３００によって制御される。表示パネル１３２に表示される画面にはソフトウェアキーが表示される。このソフトウェアキーをユーザが指で押下すると、タッチパネル１３４がその押下された位置を検出する。ＣＰＵ３００は、プログラム上でソフトウェアキーの表示位置とタッチパネルが押された位置とを照合し、その照合結果に基づいて、動作モードの選択、各種機能及びパラメータの設定、並びに動作指示等を行なう。タッチパネルディスプレイ１３０のサイズ及び形状としては、特に限定されないが、例えば、１０２４ピクセル×６００ピクセルの横長の長方形状のもの等を使用できる。
【００３１】
表示操作部１４０は、表示灯１４２、並びに、電源キー１４４、省エネルギーキー（以下「省エネキー」と記す。）１４６、及びホームキー１４８等の各種ハードウェアキーを含む。表示灯１４２は、例えばＬＥＤ（Ｌｉｇｈｔ  Ｅｍｉｔｔｉｎｇ  Ｄｉｏｄｅ）を備え、ＣＰＵ３００によって、点灯又は消灯（点滅）するように制御される。表示灯１４２は、通常時には消灯された状態であり、通常モードから省エネモードへの移行時等において、モードの移行に連動して点滅する。ここで、通常モードとは、主電源がオンの状態であって、全ての動作モードが実行可能な状態のことである。省エネモードとは、主電源がオンの状態であって、一部の動作モードのみが実行可能な状態のことである。
【００３２】
電源キー１４４は、省エネモード等から通常モードへの移行指示を行なうためのキーである。なお、主電源は、主電源スイッチ（図示せず。）によってオン・オフされる。
【００３３】
省エネキー１４６は、通常モードから省エネモードへの移行指示又は省エネモードから通常モードへの移行指示を行なうためのキーである。なお、省エネモードへの移行は、省エネキー１４６が押下された場合だけでなく、ユーザによる操作がない状態で予め定める所定時間が経過した場合においても実行される。
【００３４】
ホームキー１４８は、ホーム画面（図示せず。）への移行指示を行なうためのキーである。例えば、ユーザによってホームキー１４８が押下されると、表示パネル１３２には、コピーモードを選択するためのソフトウェアキーであるアイコン、及び、ＦＡＸモードを選択するためのソフトウェアキーであるアイコン等を含むホーム画面が表示される。
【００３５】
ホーム画面に表示される上記アイコンに対するユーザの選択操作によって、コピーモード及びＦＡＸモード等の動作モードのうちのいずれかが選択されると、表示パネル１３２には、初期画面として、選択された動作モードの基本画面が表示される。上記した選択操作とは、当該分野において一般的に使用される操作であれば特に限定されないが、例えば、タッチ操作（ユーザによる押下位置に基づく入力操作）及び、ジェスチャー操作（ユーザによる操作軌跡に基づく入力操作）等がある。
【００３６】
図４を参照して、各種動作モードの基本画面は、システム領域１０００、機能設定／確認領域（以下「機能選択領域」と記す。）２０００、プレビュー領域３０００、アクションパネル領域４０００、及び、タクストリガー領域５０００を含む５つの領域からなる。これらの５つの領域は、基本レイアウトに従って以下のように配置される。すなわち、システム領域１０００は基本画面の最上部に配置される。プレビュー領域３０００は基本画面の中央部に配置される。機能選択領域２０００は、基本画面においてプレビュー領域３０００に対して左側に配置される。アクションパネル領域４０００は、基本画面においてプレビュー領域３０００に対して右側上部に配置される。タクストリガー領域５０００は、基本画面においてプレビュー領域３０００に対して右側下部に配置される。上記した各種動作モードの基本画面を構成する５つの領域及び基本レイアウトは、全ての動作モードにおいて共通する。
【００３７】
以下、上記した各種動作モードの基本画面の一例として、初期画面として表示される、コピーモードの基本画面及びＦＡＸモードの基本画面について説明する。
【００３８】
［コピーモード基本画面７１００］  
図５を参照して、コピーモード基本画面７１００のシステム領域１０００には、コピーモードであることを示す「コピー」という文字列１１０２、及び、ログアウトを実行するためのログアウトキー１１０４等が表示される。このログアウトキー１１０４には、ログイン中のユーザ名が表示される。システム領域１０００にはさらに、現在のジョブ状況を示す領域１１０６が設けられ、この領域１１０６には、例えば、現在コピー処理を実行中であることを示すアイコン及び現在処理を停止中であることを示すアイコン（以上いずれも図示せず。）等が表示される。
【００３９】
コピーモード基本画面７１００の機能選択領域２０００には、コピーモードに関する各種機能及びパラメータ等の条件の設定変更を行なうための各種設定キーが表示される。本実施の形態では、各種設定キーとして、カラーモードを切替えるためのキー２１０２、コピー濃度を変更するためのキー２１０４、コピー倍率を変更するためのキー２１０６、原稿のサイズ等を変更するためのキー２１０８、使用する記録用紙のサイズ等を変更するためのキー２１１０、両面コピー機能を設定するためのキー２１１２、及び、ステープル機能を設定するためのキー２１１４が表示される。ユーザによってキー２１０２〜２１１４のいずれかがタッチされた場合には、表示パネル１３２には、押下されたキーに対応する設定画面（例えば、濃度設定画面、倍率設定画面、及び原稿設定画面等）が表示される。
【００４０】
機能選択領域２０００における上記した各種設定キー２１０２〜２１１４の上方には、ユーザによって入力されたコピー部数を表示するための領域２１１６が設けられる。この領域２１１６には、「部数」という文字列、及び、コピー部数を表す数値が表示される。本実施の形態において、コピー部数を示す数値は４桁まで入力することができ、初期設定の状態では「０」が表示される。機能選択領域２０００における上記した各種設定キー２１０２〜２１１４の下方には、各種設定キー２１０２〜２１１４の表示スタイルを変更するための変更キー２０１２〜２０１６が表示される。変更キー２０１２は、予め「お気に入り」登録された機能に関する設定キーのみを表示させるためのキーである。変更キー２０１４は、設定変更された機能に関する設定キーのみを表示させるためのキーである。変更キー２０１６は、対応する動作モードにおいて、設定変更可能な全ての機能に関する設定キーを表示させるためのキーである。本実施の形態では、変更キー２０１６が選択され、機能選択領域２０００には、コピーモードにおいて設定変更可能な全ての機能に関する設定キーが表示されるものとする。
【００４１】
なお、機能選択領域２０００において、表示対象の全ての設定キーを表示しきれない場合には、各種設定キーは上下方向にスクロール可能に表示される。このとき、変更キー２０１２〜２０１６の表示位置は固定されたままである。ユーザは、タッチ操作（スクロール操作）又はジェスチャー操作（上下方向のフリック操作）によって、各種設定キーの表示部分を上下方向に切替えることができる。
【００４２】
コピーモード基本画面７１００のプレビュー領域３０００には、コピー部数等を入力するための仮想テンキー群３１０２が表示される。仮想テンキー群３１０２は、０〜９までの数字キー、及びクリア（Ｃ）キーを含む。仮想テンキー群３１０２は、常に、ウィンドウである背景領域３１０３内に表示される。本実施の形態において、背景領域３１０３は不透明である。ユーザは、背景領域３１０３内に表示される閉じるキー３１０１をタッチすることによって、背景領域３１０３を閉じることができる。以下、本明細書において、背景領域３１０３が閉じられることを、仮想テンキー群３１０２の表示が終了されると記す場合がある。プレビュー領域３０００における仮想テンキー群３１０２の下方には、画像形成装置１００全体の現在の状況を示すミミック画像３１０４が表示される。ユーザは、このミミック画像３１０４に対してタッチ操作を行なうことで、表示パネル１３２に対し、用紙設定画面を表示させることができる。
【００４３】
コピーモード基本画面７１００のアクションパネル領域４０００には、コピーモードにおけるおすすめ機能を実行するための各種実行キーが表示される。ここで、おすすめ機能とは、ユーザによって選択された機能と過去に組合せて選択されたことのある機能のことを示す。本実施の形態では、上記各種実行キーとして、使用する記録用紙に合わせてコピー倍率を自動的に選択するためのキー４１０２、現在の設定条件（ジョブプログラム）の登録を実行するためのキー４１０４、画像データのファイリングを実行するためのキー４１０６、コピー処理と同時に画像データの送信を実行するためのキー４１０８、セクションの挿入を実行するためのキー４１１０、セクションの削除を実行するためのキー４１１２、及び、スキャンイン処理の内容を示す画面を表示させるためのキー４１１４が表示される。
【００４４】
コピーモード基本画面７１００のタスクトリガー領域５０００には、スキャンインキー５１０２、クリアオールキー５１０４、モノクロスタートキー５１０６、及び、カラースタートキー５１０８が表示される。スキャンインキー５１０２は、原稿をスキャンし、得られたスキャンデータに基づくプレビュー画像をプレビュー領域３０００に表示させるスキャンイン処理の実行を開始するためのキーである。クリアオールキー５１０４は、設定変更された機能及びパラメータ等を全てキャンセルし、設定をデフォルト状態へ戻すためのキーである。モノクロスタートキー５１０６は、原稿をスキャンし、得られた画像データ（又はスキャンイン処理によって得られたスキャンデータ）に基づくモノクロコピー処理の実行を開始するためのキーである。カラースタートキー５１０８は、原稿をスキャンし、得られた画像データ（又はスキャンイン処理によって得られたスキャンデータ）に基づくカラーコピー処理の実行を開始するためのキーである。上記したように、本明細書では、スキャンイン処理によってスキャンされた画像データのことをスキャンデータと記すことで、他の画像データと区別する。
【００４５】
［ＦＡＸモード基本画面７３００］  
図６を参照して、ＦＡＸモードの基本画面７３００のシステム領域１０００には、アドレス帳の内容を示す画面の表示を要求するためのキー１３０２と、ユーザによって入力された送信相手先のＦＡＸ番号を表示するための番号表示領域１３０４と、所定のＦＡＸ番号に対して予め登録される検索番号を使用して送信相手先を指定するための検索画面の表示を要求するための検索アイコン１３０６と、が表示される。
【００４６】
ＦＡＸモード基本画面７３００の機能選択領域２０００には、ＦＡＸモードに関する各種機能及びパラメータ等の条件の設定変更を行なうための各種設定キーが表示される。本実施の形態では、上記各種設定キーとして、ＦＡＸ原稿の濃度を変更するためのキー２３０２、ＦＡＸ原稿の画質を変更するためのキー２３０４、ＦＡＸ原稿の送信サイズ等を変更するためのキー２３０６、大量原稿モードを設定するためのキー２３０８、薄紙読込み機能を設定するためのキー２３１０、混載原稿機能を設定するためのキー２３１２、及び、原稿枚数カウント機能を設定するためのキー２３１４が表示される。ユーザによってキー２３０２〜２３０６のいずれかがタッチされた場合には、表示パネル１３２には、押下されたキーに対応する設定画面（例えば、濃度設定画面、画質設定画面、及び原稿設定画面）が表示される。キー２３０８〜２３１４には、チェックボックスが表示される。ユーザによって、キー２３０８〜２３１４のいずれかがタッチされた場合には、タッチされたキーのチェックボックスにチェックマークが示され、タッチされたキーに対応する機能が設定される。機能選択領域２０００における上記した各種設定キー２３０２〜２３１４の下方には、前述した変更キー２０１２，２０１４と、機能選択領域２０００に表示される機能とは異なる他の特別機能の一覧を示す画面の表示を要求するためのキー２３１６と、が表示される。本実施の形態では、変更キー２０１２が選択され、機能選択領域２０００には、ＦＡＸモードにて、予め「お気に入り」登録された機能に関する設定キーのみが表示されるものとする。
【００４７】
なお、機能選択領域２０００において、表示対象の全ての設定キーを表示しきれない場合には、各種設定キーは上下方向にスクロール可能に表示される。このとき、変更キー２０１２〜２３１６の表示位置は固定されたままである。ユーザは、タッチ操作（スクロール操作）又はジェスチャー操作（上下方向のフリック操作）によって、各種設定キーの表示部分を上下方向に切替えることができる。
【００４８】
ＦＡＸモード基本画面７３００のプレビュー領域３０００には、ＦＡＸ番号等を入力するための仮想テンキー群３３０２が表示される。仮想テンキー群３３０２は、０〜９までの数字キー、「♯」キー等の記号キー、クリア（Ｃ）キー、及び、確定キーを含む。仮想テンキー群３３０２は、常に、ウィンドウである背景領域３３０３内に表示される。本実施の形態において、背景領域３３０３は不透明である。なお、背景領域３３０３内には、背景領域３３０３を閉じるための閉じるキーは表示されない。
【００４９】
プレビュー領域３０００にはさらに、原稿載置台又は自動原稿搬送装置（ＡＤＦ（Ａｕｔｏ  Ｄｏｃｕｍｅｎｔ  Ｆｅｅｄｅｒ））（以上いずれも図示せず。）にＦＡＸ原稿がセットされたか否かを示すアイコン、及び、現在のＦＡＸ送信設定状況等を示すウィンドウ３３０４が表示される。
【００５０】
ＦＡＸモード基本画面７３００のアクションパネル領域４０００には、ＦＡＸモードにおけるおすすめ機能を実行するための各種実行キーが表示される。本実施の形態では、上記各種実行キーとして、所望のＦＡＸ番号を登録番号で検索するためのキー４３０２、グローバルアドレス検索を実行するためのキー４３０４、予め登録されている設定条件（ジョブプログラム）の呼出しを実行するためのキー４３０６、画像データの自動一時保存を実行するためのキー４３０８、及び、画像データのファイリングを実行するためのキー４３１０が表示される。
【００５１】
ＦＡＸモード基本画面７３００のタスクトリガー領域５０００には、スキャンインキー５３０２、クリアオールキー５３０４、スタートキー５３０６、及び、オンフックキー５３０８が表示される。スキャンインキー５３０２は、ＦＡＸ原稿をスキャンし、スキャンデータに基づくプレビュー画像をプレビュー領域３０００に表示させるスキャンイン処理の実行を開始するためのキーである。クリアオールキー５３０４は、設定変更された機能及びパラメータ等を全てキャンセルし、設定をデフォルト状態へ戻すためのキーである。スタートキー５３０６は、ＦＡＸ送信処理の実行を開始するためのキーである。オンフックキー５３０８は、回線の状態をオンフック状態にするためのキーである。
【００５２】
［画像形成装置１００の全体構成］  
図１〜図３を参照して、画像形成装置１００は、上記した操作ユニット１２０に加えて、原稿読取部１０２、画像形成部１０４、給紙部１０６、及び、排紙処理装置１０８を含む。以下、コピーモード及びＦＡＸモードにおける動作を説明することによって、画像形成装置１００全体のハードウェア構成の説明とする。
【００５３】
−コピーモード−  
本実施の形態において、コピーモードでは、主として、原稿読取部１０２及び画像形成部１０４が動作することによって、モノクロコピー処理、カラーコピー処理、及び、スキャンイン処理のうちのいずれかが実行される。なお、スキャンイン処理については後述する。
【００５４】
（通常のモノクロコピー処理及びカラーコピー処理）  
ホーム画面（図示せず。）にてコピーモードが選択された後、スキャンイン処理が行なわれていない状態で、上記したモノクロスタートキー５１０６又はカラースタートキー５１０８がタッチされると、手動又はＡＤＦによって原稿載置台に載置された原稿が原稿読取部１０２によって画像データとして読取られる。読取られた画像データは、図３に示すマイクロコンピュータ等から構成されるＣＰＵ３００に入力され、ここで各種の画像処理が施された後、画像形成部１０４に対して出力される。
【００５５】
画像形成部１０４は、画像データに基づいて原稿画像を記録媒体（多くの場合、記録用紙）に印刷する。画像形成部１０４は、感光体ドラム２２２、帯電装置２２４、レーザスキャンユニット（以下、「ＬＳＵ」と記す。）２２６、現像装置２２８、転写装置２３０、クリーニング装置２３２、定着装置２３４、及び図示しない除電装置等を含む。
【００５６】
画像形成部１０４には、主搬送路２３６及び反転搬送路２３８が設けられる。給紙部１０６は、用紙カセット２４０に収納される記録用紙、又は手差トレイ２４２に載置される記録用紙を１枚ずつ引出し、引出した記録用紙を画像形成部１０４の主搬送路２３６に向けて送り出す。給紙部１０６から給紙された記録用紙は、主搬送路２３６に沿って搬送される。
【００５７】
主搬送路２３６に沿って記録用紙が搬送される途中において、記録用紙は感光体ドラム２２２と転写装置２３０との間を通過し、さらに定着装置２３４を通過する。この過程において、記録用紙に対する原稿画像の印刷が行なわれる。
【００５８】
感光体ドラム２２２は、一方向に回転する。感光体ドラム２２２の表面は、クリーニング装置２３２と除電装置とによりクリーニングされた後、帯電装置２２４により均一に帯電される。
【００５９】
ＬＳＵ２２６は、印刷対象の画像データに基づいてレーザ光を変調する。そして、このレーザ光によって感光体ドラム２２２の表面を主走査方向に繰返し走査することで、静電潜像を感光体ドラム２２２の表面に形成する。
【００６０】
現像装置２２８は、トナーを感光体ドラム２２２の表面に供給して静電潜像を現像する。これによって、トナー像が感光体ドラム２２２の表面に形成される。モノクロコピー処理が実行される場合には、現像装置２２８は、モノクロトナーを供給する。カラーコピー処理が実行される場合には、現像装置２２８は、イエロー（Ｙ）、マゼンタ（Ｍ）、シアン（Ｃ）、及びブラック（Ｋ）からなるカラートナーを供給する。
【００６１】
転写装置２３０は、当該転写装置２３０と感光体ドラム２２２との間を通過する記録用紙に対し、感光体ドラム２２２の表面に形成されたトナー像を転写する。
【００６２】
定着装置２３４は、記録用紙を加熱するための加熱ローラ２４８と、記録用紙を加圧するための加圧ローラ２５０とを含む。記録用紙上に転写されたトナー像は、加熱ローラ２４８によって加熱され、かつ、加圧ローラ２５０によって加圧されることによって、記録用紙に定着される。加熱ローラ２４８の温度は、定着装置２３４へ供給される電力によって、例えば加熱ローラ２４８内部に設けられるヒータを温めることで、定着に適した温度になるように制御されている。
【００６３】
主搬送路２３６と反転搬送路２３８との接続位置には、分岐爪２４４が配設されている。記録用紙の片面のみに原稿画像の印刷を行なう場合には、分岐爪２４４が位置決めされ、この分岐爪２４４により定着装置２３４から搬送される記録用紙が排紙トレイ２４６又は排紙処理装置１０８の方へと導かれる。
【００６４】
記録用紙の両面に原稿画像の印刷を行なう場合には、分岐爪２４４が所定方向に回動され、この分岐爪２４４により定着装置２３４から搬送される記録用紙が反転搬送路２３８の方へと導かれる。記録用紙は、反転搬送路２３８を通過して、その表裏を反転された状態で主搬送路２３６へと再び搬送される。主搬送路２３６における再度の搬送途中において、記録用紙の裏面への原稿画像の印刷が行なわれる。印刷が行なわれた記録用紙は、排紙トレイ２４６又は排紙処理装置１０８の方へと導かれる。
【００６５】
上述のようにして原稿画像が印刷された記録用紙は、排紙トレイ２４６又は排紙処理装置１０８の方へと導かれて、排紙トレイ２４６に排出されるか、又は、排紙処理装置１０８の各排紙トレイ１１０のいずれかに排出される。
【００６６】
排紙処理装置１０８では、複数の記録用紙を各排紙トレイ１１０に仕分けして排出する処理、記録用紙にパンチングする処理、及び、記録用紙にステープルする処理等を施す。排紙処理装置１０８は、例えば、複数部の印刷物を作成する場合には、各排紙トレイ１１０に印刷物の一部ずつが割り当てられるように、記録用紙を各排紙トレイ１１０に仕分けして排出し、排紙トレイ１１０毎に、排紙トレイ１１０上の記録用紙にパンチング処理又はステープル処理を施して印刷物を作成する。
【００６７】
（スキャンイン処理後のモノクロコピー処理及びカラーコピー処理）  
ホーム画面（図示せず。）にてコピーモードが選択され、後述するスキャンイン処理が行なわれた後で、モノクロスタートキー５１０６又はカラースタートキー５１０８がタッチされる場合がある。この場合には、上記した原稿画像のスキャン及び画像データに対する画像処理は行なわれず、画像形成部１０４は、スキャンイン処理時に読取られ、記憶装置に一時的に記憶されるスキャンデータに基づいて、上記と同様にして画像形成処理を行なう。
【００６８】
−ＦＡＸモード−  
本実施の形態において、ＦＡＸモードでは、原稿読取部１０２及び図３に示すＦＡＸ通信部１６０が動作することによって、ＦＡＸ送信処理及びスキャンイン処理のいずれかが実行される。また、ＦＡＸ通信部１６０が動作することによって、ＦＡＸ通信処理が実行される。さらに、ＦＡＸ通信部１６０及び画像形成部１０４が動作することによって、ＦＡＸ受信処理が実行される。なお、スキャンイン処理については後述する。
【００６９】
（通常のＦＡＸ送信処理）  
ホーム画面（図示せず。）にてＦＡＸモードが選択された後、スキャンイン処理が行なわれていない状態で、上記したスタートキー５３０６がタッチ操作されると、手動又はＡＤＦによって原稿載置台に載置された原稿は原稿読取部１０２によって画像データとして読取られる。読取られた画像データは、ＣＰＵ３００に入力され、ここで各種の画像処理が施された後、ＦＡＸ通信部１６０に対して出力される。
【００７０】
（スキャンイン処理後のＦＡＸ送信処理）  
ホーム画面（図示せず。）にてＦＡＸモードが選択され、後述するスキャンイン処理が行なわれた後で、スタートキー５３０６がタッチ操作される場合がある。この場合には、上記した原稿画像のスキャン及び画像データに対する画像処理は行なわれず、スキャンイン処理時に読取られ、記憶装置に一時的に記憶されるスキャンデータが、ＦＡＸ通信部１６０に対して出力される。
【００７１】
送信側の画像形成装置１００のＦＡＸ通信部１６０は、送信側の回線を指定された送信先に接続し、入力された画像データ又はスキャンデータをファクシミリ通信規格に合致した通信データへ変換して、受信側のファクシミリ装置（例えばファクシミリ機能を備えた画像形成装置１００）に対して送信する。
【００７２】
（ＦＡＸ通信処理）  
回線が接続されると、受信側の画像形成装置１００のＦＡＸ通信部１６０は、送信側の画像形成装置１００のＦＡＸ通信部１６０からの通信要求信号を検出して、応答信号を送信する。その後、例えば、ＦＡＸ通信部１６０は、送信側及び受信側で互いに実装されている能力情報の受渡しを行ない、利用可能な最大能力での通信速度及び画像データの符号化／符号訂正方式等を決定してモデムの通信方式を設定する。この通信方式にあわせた画像信号形式を用いて、送信側の画像形成装置１００のＦＡＸ通信部１６０から受信側の画像形成装置１００のＦＡＸ通信部１６０へとデータが送信される。送信が終了すると回線が切断される。
【００７３】
（ＦＡＸ受信処理）  
受信側の画像形成装置１００のＦＡＸ通信部１６０は、受信したデータを画像データに変換して、画像形成部１０４へ送る。なお、受信したデータを画像データへ変換するのは画像形成部１０４であっても構わない。画像形成部１０４は、上述したコピーモードにおける動作と同様にして、受信したデータから変換された画像データに基づく画像を記録用紙に印刷する。
【００７４】
〈電気的構成〉  
図３を参照して、画像形成装置１００は、コピーモード及びＦＡＸモード等の各種動作モードに関する各種機能及びパラメータの設定が可能な操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラム及びデータ等を記憶可能な不揮発性記憶領域を提供するハードディスクを含むＨＤＤ３０２と、プログラムを実行する際に記憶領域を提供するＲＡＭ３０８と、を含む。
【００７５】
画像形成装置１００はさらに、原稿読取部１０２、画像形成部１０４、ＦＡＸ通信部１６０、操作ユニット１２０、ＨＤＤ３０２、ＲＯＭ３０６、ＲＡＭ３０８、及び、ネットワークＩ／Ｆ３０４に接続されるバス３１０と、バス３１０に接続され、上記した各部を制御して画像形成装置としての一般的機能を実現するためのＣＰＵ３００と、を含む。
【００７６】
ＨＤＤ３０２には、原稿読取部１０２にてスキャンされた画像データ等の各種データが記憶される。ＲＯＭ３０６には、画像形成装置１００の一般的な動作を実現するためのコンピュータプログラムとともに、後述するコピーモード処理及びＦＡＸモード処理を実現するためのコンピュータプログラムが記憶される。ＲＯＭ３０６にはさらに、コピーモード及びＦＡＸモード等の各種動作モードの基本画面を表示するための基本画面データが記憶される。
【００７７】
ＲＡＭ３０８は、ＣＰＵ３００による演算及び処理の結果を一時的に記憶するワーキングメモリとしての機能と、画像データを記憶するフレームメモリとしての機能とを提供する。ＣＰＵ３００は、ＲＯＭ３０６に格納されているコンピュータプログラムに従って画像形成装置１００の各機能に関する制御を実行する。すなわち、原稿読取部１０２、画像形成部１０４、操作ユニット１２０のタッチパネルディスプレイ１３０及び表示操作部１４０、ＨＤＤ３０２、ＲＯＭ３０６、並びに、ＲＡＭ３０８等の各部に対する制御は、ＣＰＵ３００が所定のコンピュータプログラムを実行することによって実現される。
【００７８】
図３を参照して、画像形成装置１００のＦＡＸ通信部１６０には、画像データの送受信用に公衆回線が接続され、ネットワークＩ／Ｆ３０４にはネットワーク回線が接続される。このネットワーク回線には、画像形成装置１００をネットワーク対応のプリンタとして使用するコンピュータが接続されたり、インターネットを介して指定されたＵＲＬにより特定されるコンピュータが接続されたりする。このようにネットワーク回線を通じてインターネットに接続される画像形成装置１００は、インターネットを介して、外部装置から必要な情報を取得することができる。
【００７９】
〈ソフトウェア構成〉  
（コピーモード処理）  
コピーモード処理を実現するためのプログラムは、ユーザによって、ホーム画面（図示せず。）に表示される、コピーモードを選択するためのアイコンがタッチされることによって起動される。
【００８０】
図７を参照して、このプログラムは、表示パネル１３２に対し、初期画面として、コピーモード基本画面７１００（図５参照）を表示させるステップＳ１０００と、スキャンインキー５１０２がタッチされたか否かを判定するステップＳ１００１と、を含む。
【００８１】
このプログラムはさらに、ステップＳ１００１にて、スキャンインキー５１０２がタッチされていないと判定された場合（ＮＯの場合）に実行され、スタートキー（モノクロスタートキー５１０６又はカラースタートキー５１０８）がタッチされたか否かを判定するステップＳ１００２と、ステップＳ１００２にて、スタートキーがタッチされたと判定された場合（ＹＥＳの場合）に実行され、タッチされたスタートキーに対応する処理（上記したモノクロコピー処理又はカラーコピー処理）を実行するステップＳ１００３と、を含む。
【００８２】
このプログラムはさらに、ステップＳ１００２にて、スタートキーがタッチされていないと判定された場合（ＮＯの場合）に実行され、クリアオールキー５１０４がタッチされたか否かを判定するステップＳ１００４と、ステップＳ１００４にて、クリアオールキー５１０４がタッチされたと判定された場合（ＹＥＳの場合）に実行され、設定変更された機能及びパラメータを全てキャンセルし、設定をデフォルト状態へ戻すステップＳ１００５と、を含む。ステップＳ１００４にて、クリアオールキー５１０４がタッチされていないと判定された場合（ＮＯの場合）、又は、ステップＳ１００５の処理後には、制御はステップＳ１００１に戻る。
【００８３】
このプログラムはさらに、ステップＳ１００１にて、スキャンインキー５１０２がタッチされたと判定された場合（ＹＥＳの場合）に実行され、原稿読取部１０２に対し、原稿の読取りを開始させるステップＳ１００６と、プレビュー領域３０００に対し、仮想テンキー群３１０２の表示を要求するためのアイコン（以下「テンキーアイコン」と記す。）を、仮想テンキー群３１０２に代えて表示させるステップＳ１００７と、プレビュー領域３０００に対し、スキャンデータに基づくプレビュー画像を表示させるステップＳ１００８と、を含む。
【００８４】
図８を参照して、このプログラムはさらに、設定変更された機能及びパラメータがあるか否かを判定するステップＳ１００９と、ステップＳ１００９にて、設定変更された機能及びパラメータがあると判定された場合（ＹＥＳの場合）に実行され、設定変更された内容を、プレビュー領域３０００に表示されるプレビュー画像に反映させるステップＳ１１００と、を含む。このとき、プレビュー画像は、プレビュー領域３０００における最前面に表示される。
【００８５】
このプログラムはさらに、ステップＳ１００９にて、設定変更された機能及びパラメータがないと判定された場合（ＮＯの場合）に実行され、プレビュー領域３０００に表示されるテンキーアイコンがタッチされたか否かを判定するステップＳ１１０１と、ステップＳ１１０１にて、テンキーアイコンがタッチされたと判定された場合（ＹＥＳの場合）に実行され、テンキーアイコンに代えて、仮想テンキー群３１０２を、プレビュー画像の前面に重ねて表示させるステップＳ１１０２と、を含む。
【００８６】
このプログラムはさらに、ステップＳ１１０１にて、テンキーアイコンがタッチされていないと判定された場合（ＮＯの場合）に実行され、プレビュー領域３０００に表示されるプレビュー画像がタッチされたか否かを判定するステップＳ１１０３と、ステップＳ１１０３にて、プレビュー画像がタッチされたと判定された場合（ＹＥＳの場合）に実行され、仮想テンキー群３１０２に代えて、テンキーアイコンを表示させるステップＳ１１０４と、を含む。
【００８７】
このプログラムはさらに、ステップＳ１１０３にて、プレビュー画像がタッチされていないと判定された場合（ＮＯの場合）に実行され、クリアオールキー５１０４がタッチされたか否かを判定するステップＳ１１０５と、ステップＳ１１０５にて、クリアオールキー５１０４がタッチされたと判定された場合（ＹＥＳの場合）に実行され、設定変更された機能及びパラメータを全てキャンセルし、設定をデフォルト状態へ戻すステップＳ１１０６と、を含む。
【００８８】
このプログラムはさらに、ステップＳ１１０５にて、クリアオールキーがタッチされていないと判定された場合（ＮＯの場合）に実行され、スタートキー（モノクロスタートキー５１０６又はカラースタートキー５１０８）がタッチされたか否かを判定するステップＳ１１０７と、ステップＳ１１０７にて、スタートキーがタッチされたと判定された場合（ＹＥＳの場合）に実行され、タッチされたスタートキーに対応する処理（スキャンデータに基づくモノクロコピー処理又はカラーコピー処理）を実行するステップＳ１１０８と、を含む。
【００８９】
ステップＳ１１０７にて、スタートキーがタッチされていないと判定された場合（ＮＯの場合）、ステップＳ１１００、ステップＳ１１０２、ステップＳ１１０４、又はステップＳ１１０６の処理後には、制御はステップＳ１００９に戻る。
【００９０】
なお、本実施の形態において、上記したステップＳ１００６〜ステップＳ１００８までの処理は、コピーモードにおけるスキャンイン処理である。
【００９１】
（ＦＡＸモード処理）  
ＦＡＸモード処理を実現するためのプログラムは、ユーザによって、ホーム画面（図示せず。）に表示される、ＦＡＸモードを選択するためのアイコンがタッチされることによって起動される。
【００９２】
図９を参照して、このプログラムは、表示パネル１３２に対し、初期画面として、ＦＡＸモード基本画面７３００（図６参照）を表示させるステップＳ２０００と、スキャンインキー５３０２がタッチされたか否かを判定するステップＳ２００１と、を含む。
【００９３】
このプログラムはさらに、ステップＳ２００１にて、スキャンインキー５３０２がタッチされていないと判定された場合（ＮＯの場合）に実行され、スタートキー５３０６がタッチされたか否かを判定するステップＳ２００２と、ステップＳ２００２にて、スタートキー５３０６がタッチされたと判定された場合（ＹＥＳの場合）に実行され、タッチされたスタートキー５３０６に対応する処理（上記したＦＡＸ送信処理）を実行するステップＳ２００３と、を含む。
【００９４】
このプログラムはさらに、ステップＳ２００２にて、スタートキー５３０６がタッチされていないと判定された場合（ＮＯの場合）に実行され、クリアオールキー５３０４がタッチされたか否かを判定するステップＳ２００４と、ステップＳ２００４にて、クリアオールキー５３０４がタッチされたと判定された場合（ＹＥＳの場合）に実行され、設定変更された機能及びパラメータを全てキャンセルし、設定をデフォルト状態へ戻すステップＳ２００５と、を含む。ステップＳ２００４にて、クリアオールキー５３０４がタッチされていないと判定された場合（ＮＯの場合）、又は、ステップＳ２００５の処理後には、制御はステップＳ２００１に戻る。
【００９５】
このプログラムはさらに、ステップＳ２００１にて、スキャンインキー５３０２がタッチされたと判定された場合（ＹＥＳの場合）に実行され、原稿読取部１０２に対し、原稿の読取りを開始させるステップＳ２００６と、プレビュー領域３０００に表示される仮想テンキー群３３０２の表示を終了させる（背景領域３３０３を閉じる）ステップＳ２００７と、プレビュー領域３０００に対し、スキャンデータに基づくプレビュー画像を表示させるステップＳ２００８と、を含む。
【００９６】
図１０を参照して、このプログラムはさらに、設定変更された機能及びパラメータがあるか否かを判定するステップＳ２００９と、ステップＳ２００９にて、設定変更された機能及びパラメータがあると判定された場合（ＹＥＳの場合）に実行され、設定変更された内容を、プレビュー領域３０００に表示されるプレビュー画像に反映させるステップＳ２１００と、を含む。このとき、プレビュー画像は、プレビュー領域３０００における最前面に表示される。
【００９７】
このプログラムはさらに、ステップＳ２００９にて、設定変更された機能及びパラメータがないと判定された場合（ＮＯの場合）に実行され、システム領域１０００に表示される番号表示領域１３０４がタッチされたか否かを判定するステップＳ２１０１と、ステップＳ２１０１にて、番号表示領域１３０４がタッチされたと判定された場合（ＹＥＳの場合）に実行され、仮想テンキー群３３０２を、プレビュー画像の前面に重ねて表示させるステップＳ２１０２と、を含む。
【００９８】
このプログラムはさらに、ステップＳ２１０１にて、番号表示領域１３０４がタッチされていないと判定された場合（ＮＯの場合）に実行され、プレビュー領域３０００に表示されるプレビュー画像がタッチされたか否かを判定するステップＳ２１０３と、ステップＳ２１０３にて、プレビュー画像がタッチされたと判定された場合（ＹＥＳの場合）に実行され、仮想テンキー群３３０２の表示を終了させるステップＳ２１０４と、を含む。
【００９９】
このプログラムはさらに、ステップＳ２１０３にて、プレビュー画像がタッチされていないと判定された場合（ＮＯの場合）に実行され、クリアオールキー５３０４がタッチされたか否かを判定するステップＳ２１０５と、ステップＳ２１０５にて、クリアオールキー５３０４がタッチされたと判定された場合（ＹＥＳの場合）に実行され、設定変更された機能及びパラメータを全てキャンセルし、設定をデフォルト状態へ戻すステップＳ２１０６と、を含む。
【０１００】
このプログラムはさらに、ステップＳ２１０５にて、クリアオールキー５３０４がタッチされていないと判定された場合（ＮＯの場合）に実行され、スタートキー５３０６がタッチされたか否かを判定するステップＳ２１０７と、ステップＳ２１０７にて、スタートキー５３０６がタッチされたと判定された場合（ＹＥＳの場合）に実行され、タッチされたスタートキー５３０６に対応する処理（スキャンデータに基づくＦＡＸ送信処理）を実行するステップＳ２１０８と、を含む。
【０１０１】
ステップＳ２１０７にて、スタートキー５３０６がタッチされていないと判定された場合（ＮＯの場合）、ステップＳ２１００、ステップＳ２１０２、ステップＳ２１０４、又はステップＳ２１０６の処理後には、制御はステップＳ２００９に戻る。
【０１０２】
なお、本実施の形態において、上記したステップＳ２００６〜ステップＳ２００８までの処理を、ＦＡＸモードにおけるスキャンイン処理である。
【０１０３】
〈動作〉  
図１〜図１７を参照して、画像形成装置１００は、以下のように動作する。以下の動作を除く、画像形成装置１００の一般的な動作は、従来の画像形成装置の動作と同じである。なお、以下の動作において、画像形成装置１００は、電源が投入された状態であるものとする。
【０１０４】
−コピーモード時の動作−  
ユーザは、表示操作部１４０のホームキー１４８を押下する。ホームキー１４８が押下されると、表示パネル１３２には、ホーム画面（図示せず。）が表示される。ユーザは、ホーム画面に表示される、コピーモードを選択するためのアイコンをタッチする。上記したタッチ操作がなされると、表示パネル１３２には、初期画面として、コピーモード基本画面７１００（図５参照）が表示される（ステップＳ１０００）。このときのコピーモードの各種機能及びパラメータの設定は、デフォルト（標準）状態であるものとする。
【０１０５】
ユーザは、コピーモード基本画面７１００を確認し、設定条件の変更を行なう場合には、機能選択領域２０００に表示される各種設定キー２１０２〜２１１４に対するタッチ操作を行なうことで、コピーモードの各種機能及びパラメータの設定変更を行なう。このとき、ユーザがクリアオールキー５１０４をタッチすると（ステップＳ１００４にてＹＥＳ）、設定変更された機能及びパラメータが全てキャンセルされ、設定をデフォルト状態へ戻すことができる（ステップＳ１００５）。
【０１０６】
ユーザは、コピー処理を行なう前に、原稿画像のプレビュー画像を確認したいと考え、手動で原稿載置台に原稿を載置した後に、スキャンインキー５１０２をタッチする。スキャンインキー５１０２がタッチされると（ステップＳ１００１にてＹＥＳ）、以下のようにしてコピーモードにおけるスキャンイン処理が実行される。
【０１０７】
スキャンイン処理において、原稿読取部１０２はまず、原稿載置台に載置された原稿の読取りを開始する（ステップＳ１００６）。原稿の読取りが開始されると、コピーモード基本画面７１００のプレビュー領域３０００には、仮想テンキー群３１０２の表示を要求するためのテンキーアイコン３１０８が、仮想テンキー群３１０２に代えて表示される（ステップＳ１００７）。このテンキーアイコン３１０８は、領域２１１６の近傍に表示される（図１１参照）。
【０１０８】
原稿読取部１０２によって読取られたスキャンデータは、ＣＰＵ３００に入力される。ＣＰＵ３００は、入力されたスキャンデータに対して各種画像処理を施した後、コピーモード基本画面７１００のプレビュー領域３０００に対し、スキャンデータに基づくプレビュー画像３１０６を、ミミック画像３１０４に代えて表示させる（ステップＳ１００８）。このとき、スキャンデータは、記憶装置（例えば、図３に示すＲＡＭ（Ｒａｎｄｏｍ  Ａｃｃｅｓｓ  Ｍｅｍｏｒｙ）３０８）に一時的に記憶される。
【０１０９】
スキャンイン処理が終了すると、ユーザはプレビュー画像３１０６を確認し、設定条件の変更を行なう場合には、機能選択領域２０００に表示される各種設定キー２１０２〜２１１４に対するタッチ操作を行なうことで、コピーモードの各種機能及びパラメータの設定変更を行なう。このとき、ユーザがクリアオールキー５１０４をタッチ操作すると（ステップＳ１１０５にてＹＥＳ）、設定変更された機能及びパラメータが全てキャンセルされ、設定をデフォルト状態へ戻すことができる（ステップＳ１１０６）。
【０１１０】
ユーザによって設定条件の変更が行なわれた場合には、ＣＰＵ３００によって、設定変更された機能及びパラメータがあると判定され（ステップＳ１００９にてＹＥＳ）、プレビュー画像３１０６には、設定変更された内容が反映される（ステップＳ１１００）。このとき、プレビュー画像３１０６は、プレビュー領域３０００における最前面に表示される。
【０１１１】
ユーザは、所望のコピー部数を入力するために、プレビュー領域３０００に表示されるテンキーアイコン３１０８をタッチする。テンキーアイコン３１０８がタッチされると（ステップＳ１１０１にてＹＥＳ）、プレビュー領域３０００には、テンキーアイコン３１０８に代えて、仮想テンキー群３１０２が、プレビュー画像３１０６の前面に重ねて表示される（ステップＳ１１０２）。このとき、仮想テンキー群３１０２は、プレビュー画像３１０６全体を隠すことなく、プレビュー画像３１０６の少なくとも一部が表示された状態となるように表示される（図１２参照）。
【０１１２】
ユーザは、表示された仮想テンキー群３１０２をタッチすることで、所望の数値（本実施の形態では、１４）を入力する。このとき、領域２１１６には、入力された数値が表示される。ユーザによる数値の入力後、ユーザによるタッチ操作のない状態で予め定める所定時間（本実施の形態では３秒）が経過すると、入力された数値は、コピー部数として設定される。
【０１１３】
ユーザは、コピー部数を設定すると、プレビュー画像３１０６をタッチする。プレビュー画像３１０６がタッチされると（ステップＳ１１０３にてＹＥＳ）、プレビュー領域３０００には、仮想テンキー群３１０２に代えて、テンキーアイコン３１０８が、領域２１１６の近傍に表示される（ステップＳ１１０４）。これによって、プレビュー画像３１０６は、全体が表示された状態となる（図１３参照）。
【０１１４】
ユーザは、領域２１１６に表示される設定されたコピー部数と、プレビュー画像３１０６とを確認することで出力形態を確認する。そして、問題ないと判断すると、モノクロスタートキー５１０６又はカラースタートキー５１０８をタッチする。上記タッチ操作がなされると（ステップＳ１１０７にてＹＥＳ）、スキャンイン処理によって読取られたスキャンデータに基づくモノクロコピー処理又はカラーコピー処理が実行される（ステップＳ１１０８）。
【０１１５】
なお、ユーザは、原稿画像のプレビュー画像の確認を行なわず、直接コピー処理を実行したいと考える場合がある。このような場合、ユーザは、上記動作において、スキャンインキー５１０２に対するタッチ操作を行なわず、直接、モノクロスタートキー５１０６又はカラースタートキー５１０８に対してタッチ操作を行なう。上記タッチ操作がなされると（ステップＳ１００２にてＹＥＳ）、通常のモノクロコピー処理又はカラーコピー処理が実行される（ステップＳ１００３）。
【０１１６】
モノクロコピー処理又はカラーコピー処理の終了後、表示パネル１３２には、初期画面である、コピーモード基本画面７１００（図５参照）が表示される。このときのコピーモードの各種機能及びパラメータの設定は、前回のコピー処理時に設定された条件が保持されているものとする。
【０１１７】
−ＦＡＸモード時の動作−  
ユーザは、表示操作部１４０のホームキー１４８を押下する。ホームキー１４８が押下されると、表示パネル１３２には、ホーム画面（図示せず。）が表示される。ユーザは、ホーム画面に表示される、ＦＡＸモードを選択するためのアイコンをタッチする。上記したタッチ操作がなされると、表示パネル１３２には、初期画面として、ＦＡＸモード基本画面７３００（図６参照）が表示される（ステップＳ２０００）。このときのＦＡＸモードの各種機能及びパラメータの設定は、デフォルト（標準）状態であるものとする。
【０１１８】
ユーザは、ＦＡＸモード基本画面７３００を確認し、設定条件の変更を行なう場合には、機能選択領域２０００に表示される各種設定キー２３０２〜２３１４に対するタッチ操作を行なうことで、ＦＡＸモードの各種機能及びパラメータの設定変更を行なう。このとき、ユーザがクリアオールキー５３０４をタッチすると（ステップＳ２００４にてＹＥＳ）、設定変更された機能及びパラメータが全てキャンセルされ、設定をデフォルト状態へ戻すことができる（ステップＳ２００５）。
【０１１９】
ユーザは、ＦＡＸ送信処理を行なう前に、ＦＡＸ原稿画像のプレビュー画像を確認したいと考え、手動で原稿載置台に原稿を載置した後に、スキャンインキー５３０２をタッチする。スキャンインキー５３０２がタッチされると（ステップＳ２００１にてＹＥＳ）、以下のようにしてＦＡＸモードにおけるスキャンイン処理が実行される。
【０１２０】
スキャンイン処理において、原稿読取部１０２はまず、原稿載置台に置かれた原稿の読取りを開始する（ステップＳ２００６）。図１４を参照して、ＦＡＸ原稿の読取りが開始されると、ＦＡＸモード基本画面７３００のプレビュー領域３０００において、仮想テンキー群３３０２の表示が終了される（ステップＳ２００７）。また、機能選択領域２０００における各種設定キー２３０２〜２３１４は画面左側に隠された状態となり、各種設定キー２３０２〜２３１４に代えて、タブキー２３１８が表示される。
【０１２１】
原稿読取部１０２によって読取られたスキャンデータは、ＣＰＵ３００に入力される。ＣＰＵ３００は、入力されたスキャンデータに対して各種画像処理を施した後、ＦＡＸモード基本画面７３００のプレビュー領域３０００に対し、スキャンデータに基づくプレビュー画像３３０６を、ウィンドウ３３０４に代えて表示させる（ステップＳ２００８）。このとき、スキャンデータは、記憶装置（例えば、図３に示すＲＡＭ（Ｒａｎｄｏｍ  Ａｃｃｅｓｓ  Ｍｅｍｏｒｙ）３０８）に一時的に記憶される。
【０１２２】
スキャンイン処理の終了後、ユーザはプレビュー画像３３０６を確認し、設定条件の変更を行なう場合には、タブキー２３１８に対し、画面左側から右側に向かうジェスチャー操作を行なうことによって、各種設定キー２３０２〜２３１４を機能選択領域２０００に表示させる（図１５参照）。そして、各種設定キー２３０２〜２３１４に対するタッチ操作を行なうことで、ＦＡＸモードの各種機能及びパラメータの設定変更を行なう。このとき、ユーザがクリアオールキー５３０４をタッチすると（ステップＳ２１０５にてＹＥＳ）、設定変更された機能及びパラメータが全てキャンセルされ、設定をデフォルト状態へ戻すことができる（ステップＳ２１０６）。
【０１２３】
ユーザによって設定条件の変更が行なわれた場合には、ＣＰＵ３００によって、設定変更された機能及びパラメータがあると判定され（ステップＳ２００９にてＹＥＳ）、プレビュー画像３３０６には、設定変更された内容が反映される（ステップＳ２１００）。このとき、プレビュー画像３３０６は、プレビュー領域３０００における最前面に表示される。
【０１２４】
ユーザは、所望のＦＡＸ番号を入力するために、システム領域１０００に表示される番号表示領域１３０４をタッチする。番号表示領域１３０４がタッチされると（ステップＳ２１０１にてＹＥＳ）、プレビュー領域３０００には、仮想テンキー群３３０２が、プレビュー画像３３０６の前面に重ねて表示される（ステップＳ２１０２）。このとき、仮想テンキー群３３０２は、プレビュー画像３３０６全体を隠すことなく、プレビュー画像３３０６の少なくとも一部が表示された状態となるように表示される（図１６参照）。
【０１２５】
ユーザは、表示された仮想テンキー群３３０２をタッチすることで、所望の数値（本実施の形態では、１２３４５６７８９）を入力する。このとき、番号表示領域１３０４には、入力された数値が表示される。ユーザによる数値の入力後、ユーザによるタッチ操作のない状態で予め定める所定時間（本実施の形態では３秒）が経過すると、入力された数値が、送信相手先のＦＡＸ番号として設定される。
【０１２６】
ユーザは、送信相手先のＦＡＸ番号を設定すると、プレビュー領域３０００に表示されるプレビュー画像３３０６をタッチする。プレビュー画像３３０６がタッチされると（ステップＳ２１０３にてＹＥＳ）、プレビュー領域３０００において、仮想テンキー群３１０２の表示が終了される（ステップＳ２１０４）。これによって、プレビュー画像３３０６は、全体が表示された状態となる。ユーザは、さらに、機能選択領域２０００に表示される各種設定キー２３０２〜２３１４に対して画面右側から左側に向かうジェスチャー操作を行なうことで、各種設定キー２３０２〜２３１４を画面左側に隠し、再度タブキー２３１８を表示させる（図１７参照）。
【０１２７】
ユーザは、番号表示領域１３０４に表示される送信相手先のＦＡＸ番号と、プレビュー画像３３０６とを確認することで出力形態を確認する。そして、問題ないと判断すると、スタートキー５３０６をタッチする。上記タッチ操作がなされると（ステップＳ２１０７にてＹＥＳ）、スキャンイン処理によって読取られたスキャンデータに基づくＦＡＸ送信処理が実行される（ステップＳ２１０８）。
【０１２８】
なお、ユーザは、ＦＡＸ原稿画像のプレビュー画面の確認を行なわず、直接ＦＡＸ送信処理を実行したいと考える場合がある。このような場合、ユーザは、上記動作において、スキャンインキー５３０２に対するタッチ操作を行なわず、直接、スタートキー５３０６をタッチする。スタートキー５３０６がタッチされると（ステップＳ２００２にてＹＥＳ）、通常のＦＡＸ送信処理が実行される（ステップＳ２００３）。
【０１２９】
ＦＡＸ送信処理の終了後、表示パネル１３２には、初期画面である、ＦＡＸモード基本画面７３００（図６参照）が表示される。このときのＦＡＸモードの各種機能及びパラメータの設定は、前回のＦＡＸ送信処理時に設定された条件が保持されているものとする。
【０１３０】
〈作用・効果〉  
上記実施の形態によれば、タッチパネルディスプレイ１３０を含む操作ユニット１２０は、画像データを入力する原稿読取部１０２と、入力された画像データを出力する画像形成部１０４及びＦＡＸ通信部１６０と、を含む画像形成装置１００に備えられる。このタッチパネルディスプレイ１３０は、仮想キーを含むコピーモード基本画面７１００（又はＦＡＸモード基本画面７３００）を表示する表示パネル１３２と、仮想キーに対する入力操作を受付けるタッチパネル１３４と、を含む。基本画面７１００（又は７３００）には、仮想キーとして、コピー部数（又はＦＡＸ番号）を入力するための仮想テンキー群３１０２（又は３３０２）が表示される。タッチパネルディスプレイ１３０は、原稿読取部１０２によって画像データが入力される際に、基本画面７１００（又は７３００）に対し、画像データに基づくプレビュー画像３１０６（又は３３０６）を、仮想テンキー群３１０２（又は３３０２）に対して優先して表示させる。
【０１３１】
このように、画像データの入力待機時には、基本画面７１００（又は７３００）には、仮想テンキー群３１０２（又は３３０２）が表示されるので、ユーザは、画像データの入力待機時には、仮想テンキー群３１０２（又は３３０２）の表示を要求することなく、仮想テンキー群３１０２（又は３３０２）に対する通常の入力操作を行なうことができる。したがって、ユーザの操作性に優れる操作装置を得ることができる。
【０１３２】
また、画像データが入力される際、すなわち、ユーザがプレビュー画像３１０６（又は３３０６）の内容の確認を所望する可能性が高い場合には、プレビュー画像３１０６（又は３３０６）が、仮想テンキー群３１０２（又は３３０２）に対して優先して表示される。したがって、ユーザの視認性に優れる操作装置を得ることができる。
【０１３３】
また上記実施の形態によれば、タッチパネルディスプレイ１３０は、原稿読取部１０２によって画像データが入力される際に、基本画面７１００（又は７３００）に対し、仮想テンキー群３１０２（又は３３０２）をプレビュー画像３１０６（又は３３０６）に対して優先して表示することを要求するためのテンキーアイコン３１０８（又は番号表示領域１３０４）を、仮想テンキー群３１０２（又は３３０２）に代えて表示させる。これによって、画像データが入力される際には、仮想テンキー群３１０２（又は３３０２）の表示が終了されるので、ユーザは、プレビュー画像３１０６（又は３３０６）の内容をより一層容易に確認することができる。また、ユーザは、コピー部数（又はＦＡＸ番号）の入力を所望する場合には、テンキーアイコン３１０８（又は番号表示領域１３０４）に対する入力操作を行なうことで、仮想テンキー群３１０２（又は３３０２）をプレビュー画像３１０６（又は３３０６）に対して優先して表示させることができる。したがって、ユーザの操作性がより一層向上する。
【０１３４】
また上記実施の形態によれば、基本画面７１００は、コピー部数を表示する領域２１１６を含み、テンキーアイコン３１０８は、領域２１１６の近傍に表示される。これによって、テンキーアイコン３１０８の機能がより理解され易くなるとともに、ユーザは、コピー部数の入力を所望する場合に、テンキーアイコン３１０８の位置を容易に探し出すことができるので、テンキーアイコン３１０８に対する入力操作をより一層容易に行なうことができる。したがって、ユーザの操作性がさらに向上する。
【０１３５】
また上記実施の形態によれば、タッチパネルディスプレイ１３０は、テンキーアイコン３１０８（又は番号表示領域１３０４）がタッチ操作を受付けると、そのタッチ操作に応答して、基本画面７１００（又は７３００）に対し、プレビュー画像３１０６（又は３３０６）の少なくとも一部が表示されるように、仮想テンキー群３１０２（又は３３０２）を、プレビュー画像３１０６（又は３３０６）の前面に重ねて表示させる。これによって、仮想テンキー群３１０２（又は３３０２）がプレビュー画像３１０６（又は３３０６）の前面に表示された場合であっても、ユーザは、プレビュー画像３１０６（又は３３０６）の内容の一部を確認することができるので、どの画像に対して出力に対する設定を行なうのかを理解して、コピー部数（又はＦＡＸ番号）の入力等の条件の設定を行なうことができる。したがって、戸惑うことなく安心して画像に対する各種設定を行なうことができる。
【０１３６】
また上記実施の形態によれば、タッチパネルディスプレイ１３０は、プレビュー画像３１０６（又は３３０６）に対する入力操作を受付けると、その入力操作に応答して、基本画面７１００（又は７３００）に対し、テンキーアイコン３１０８（又は番号表示領域１３０４）を、仮想テンキー群３１０２（又は３３０２）に代えて表示させる。これによって、ユーザは、プレビュー画像３１０６（又は３３０６）の内容の確認を所望する場合には、少なくとも一部が表示されるプレビュー画像３１０６（又は３３０６）に対して入力操作を行なうことで、仮想テンキー群３１０２（又は３３０２）の表示を終了させることができる。その結果、ユーザは、容易に、プレビュー画像３１０６（又は３３０６）の内容を確認することができる。さらに、ユーザは、コピー部数（又はＦＡＸ番号）の入力を所望する場合には、テンキーアイコン３１０８（又は番号表示領域１３０４）に対する入力操作を行なうことで、容易に、仮想テンキー群３１０２（又は３３０２）をプレビュー画像３１０６（又は３３０６）に対して優先して表示させることができる。したがって、ユーザの操作性がより一層向上する。
【０１３７】
また上記実施の形態によれば、基本画面７１００（又は７３００）には、仮想キーとして、画像形成部１０４（又はＦＡＸ通信部１６０）によるコピー処理（又はＦＡＸ送信処理）の開始を要求するためのモノクロスタートキー５１０６、及び、カラースタートキー５１０８（又はスタートキー５３０６）が常に表示される。これによって、ユーザは、モノクロスタートキー５１０６若しくはカラースタートキー５１０８（又はスタートキー５３０６）に対する入力操作を行なうことで、タッチパネルディスプレイ１３０がどのような表示状態である場合においても、即座に画像形成部１０４（又はＦＡＸ通信部１６０）による処理を実行させることができる。したがって、ユーザの利便性がさらに向上する。
【０１３８】
また上記実施の形態によれば、タッチパネルディスプレイ１３０は、モノクロスタートキー５１０６若しくはカラースタートキー５１０８（又はスタートキー５３０６）に対する入力操作を受付けると、その入力操作に応答して、タッチパネルディスプレイ１３０の表示状態を、原稿読取部１０２によって画像データが入力される前の状態に戻す。これによって、画像形成部１０４（又はＦＡＸ通信部１６０）によるコピー処理（又はＦＡＸ送信処理）の終了時には、基本画面７１００（又は７３００）が表示され、仮想テンキー群３１０２（又は３３０２）が表示された状態となる。これによって、ユーザは、画像データの入力待機時には、仮想テンキー群３１０２（又は３３０２）の表示を要求することなく、仮想テンキー群３１０２（又は３３０２）に対する通常の入力操作を行なうことができる。その結果、ユーザの操作性がさらに向上する。
【０１３９】
また上記実施の形態によれば、画像形成装置１００は、画像形成装置１００は、操作性及び視認性に優れる上記したタッチパネルディスプレイ１３０を含む操作ユニット１２０を備えるので、ユーザの操作ミスに起因する画像形成部１０４（又はＦＡＸ通信部１６０）の印刷ミス（送信ミス）等を低減することができる。したがって、ユーザの利便性の高い画像形成装置１００を得ることができる。
【０１４０】
〈変形例〉  
なお、上記実施の形態では、仮想テンキー群３１０２（３３０２）が表示される場合には、プレビュー画像３１０６（３３０６）は、不透明である背景領域３１０３（３３０３）によって隠されたが、本発明はそのような実施の形態に限定されない。例えば、図１８に示すように、背景領域３１０３を透明な透過性画像にすることによって、背景領域３１０２によってプレビュー画像３１０６が隠されないようにしてもよい。これによって、仮想テンキー群３１０２がプレビュー画像３１０６の前面に表示された場合であっても、ユーザは、プレビュー画像３１０６の内容を容易に確認することができる。その結果、どの画像に対して出力に対する設定を行なうのかをより一層容易に理解して、コピー部数の入力等の条件の設定を行なうことができる。したがって、戸惑うことなく安心して画像に対する各種設定を行なうことができる。なお、透過性画像となるのはタッチ操作に影響しない部分であればよく、背景領域３１０２（３３０３）に限定されない。例えば、数字及び記号が見える状態であれば、仮想テンキー群３１０２（３３０２）が透過性画像であってもよい。
【０１４１】
また上記実施の形態では、コピー処理（又はＦＡＸ送信処理）の終了時には、初期画面である基本画面７１００（図５参照）（又は基本画面７３００（図６参照））が表示されたが、本発明はそのような実施の形態に限定されない。例えば、仮想テンキー群３１０２（又は３３０２）の背面にプレビュー画像３１０６（又は３３０６）が表示された状態である基本画面７１００（図１２参照）（又は基本画面７３００（図１６参照））が表示されてもよい。この場合のコピーモード（又はＦＡＸモード）の各種機能及びパラメータの設定は、前回のコピー処理時（又はＦＡＸ送信処理時）に設定された条件が保持されているものとする。また、プレビュー画像３１０６（又は３３０６）として、前回のコピー処理時（又はＦＡＸ送信処理時）のスキャンイン処理によって読込まれたスキャンデータに基づく画像が表示されるものとする。これによって、ユーザは、追加のコピー処理（又はＦＡＸ送信処理）を行なう場合には、その処理に関する指示等を円滑に出すことができる。また、基本画面７１００（図１２参照）及び基本画面７３００（図１６参照）は、プレビュー画像３１０６，３３０６の一部のみしか確認できない状態であるので、次に他のユーザが処理を実行する場合においても、機密情報が漏えいするおそれが少ない。
【０１４２】
また上記実施の形態では、スキャンイン処理後において、プレビュー画像３１０６（又は３３０６）がタッチされた際に、仮想テンキー群３１０２（又は３３０２）の表示が終了されたが（ステップＳ１１０３及びステップＳ１１０４、又は、ステップＳ２１０３及びステップＳ２１０４）、本発明はそのような実施の形態に限定されない。
【０１４３】
例えば、仮想テンキー群３１０２（又は３３０２）に対するタッチ操作のない状態で予め定める所定時間（例えば、３秒）が経過した場合に、仮想テンキー群３１０２（又は３３０２）の表示が自動的に終了されてもよい。この場合、コピーモードの場合には、テンキーアイコン３１０８が自動的に表示される。ＦＡＸモードの場合には、番号表示領域１３０４が表示された状態である。これによって、ユーザがコピー部数（又はＦＡＸ番号）の入力を所望していない場合には、仮想テンキー群３１０２（又は３３０２）の表示が自動的に終了されるので、ユーザは、プレビュー画像３１０６（又は３３０６）の内容を確認し易くなる。その結果、ユーザの利便性がより一層向上する。
【０１４４】
また、基本画面７１００（又は７３００）における、仮想テンキー群３１０２（又は３３０２）を除いた部分がタッチされた場合に、仮想テンキー群３１０２（又は３３０２）の表示が終了されてもよいし、背景領域３１０３における閉じるキー３１０１がタッチされた場合に、仮想テンキー群３１０２の表示が終了されてもよい。この場合、仮想テンキー群３１０２（又は３３０２）に対するタッチ操作によって数値が入力されている場合には、仮想テンキー群３１０２（又は３３０２）の表示終了に同期して、入力された数値をコピー部数（又はＦＡＸ番号）に反映させることが好ましい。
【０１４５】
また上記実施の形態では、コピーモード基本画面７１００には、仮想テンキー群３１０２の表示を要求するための要求キーとしてテンキーアイコン３１０８が使用されたが、本発明はそのような実施の形態に限定されない。例えば、図１９に示すように、要求キーとして、機能選択領域２０００に表示される設定キーが使用されてもよい。図１９を参照して、コピーモード基本画面７１００の機能選択領域２０００において、上記実施の形態における領域２１１６が設けられた部分には、領域２１１６に代えて、仮想テンキー群３１０２の表示を要求するための設定キー２１１８が設けられる。この設定キー２１１８には、「部数」という文字列、及び、コピー部数を表す数値が表示される。ユーザによって、この設定キー２１１８がタッチされると、プレビュー領域３０００には、仮想テンキー群３１０２が表示される。この場合、設定キー２１１８の機能を理解し易くするために、設定キー２１１８の近傍に、テンキーアイコン３１０８（要求キーとしては機能しない）を表示することが好ましい。
【０１４６】
図１９に示すように、設定キー２１１８が要求キーとして機能する場合には、初期画面として、図２０に示すコピーモード基本画面７１００が使用されることが好ましい。図２０を参照して、初期画面として表示されるコピーモード基本画面７１００において、プレビュー領域３０００に表示される背景領域３１０３の上部には、「部数」という文字列、及び、コピー部数を表す数値が表示される。この場合、背景領域３１０３には、閉じるキー３１０１は表示されない。また、機能選択領域２０００には、各種設定キー２１０２〜２１１４とともに、ページ集約機能を設定するためのキー２１１９が表示される。
【０１４７】
図２０に示す初期画面が表示される状態でスキャンイン処理が実行されると、図１９に示すように、プレビュー画像３１０６が表示されるとともに、仮想テンキー群３１０２に代えて、設定キー２１１８が表示される。この場合、設定キー２１１８が各種設定キー２１０２〜２１１４の上方に挿入されるので、各種設定キー２１０２〜２１１４の最下部に示される設定キー２１１９は画面下側にずれて隠れた状態となる。
【０１４８】
図１９に示される設定キー２１１８がタッチされた場合には、図２１に示すコピーモード基本画面７１００が表示されることが好ましい。図２１を参照して、設定キー２１１８がタッチされると、仮想テンキー群３１０２が、プレビュー画像３１０６の前面に重ねて表示され、設定キー２１１８には「部数」という文字列が表示される。コピー部数を表す数値は、背景領域３１０３の上部に表示される。このとき、設定キー２１１８は、要求キーとしては機能しない。
【０１４９】
また上記実施の形態では、コピー部数を示す数値の初期設定は「０」であったが、本発明はそのような実施の形態に限定されず、「１」であってもよい。この場合、コピー部数を示す数値は常に１以上になる。したがって、仮想テンキー群３１０２（又は３３０２）において「０」の数字キーを押下したとしても、コピー部数を示す数値は「１」のままになる。
【０１５０】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１５１】
１００  画像形成装置
１０２  原稿読取部
１０４  画像形成部
１２０  操作ユニット
１３０  タッチパネルディスプレイ
１３２  表示パネル
１３４  タッチパネル
１６０  ＦＡＸ通信部
３００  ＣＰＵ
３１０２，３３０２  仮想テンキー群
３１０６，３３０６  プレビュー画像
７１００  コピーモード基本画面
７３００  ＦＡＸモード基本画面
【図１】
2012048526.tif 000003
【図２】
2012048526.tif 000004
【図３】
2012048526.tif 000005
【図４】
2012048526.tif 000006
【図５】
2012048526.tif 000007
【図６】
2012048526.tif 000008
【図７】
2012048526.tif 000009
【図８】
2012048526.tif 000010
【図９】
2012048526.tif 000011
【図１０】
2012048526.tif 000012
【図１１】
2012048526.tif 000013
【図１２】
2012048526.tif 000014
【図１３】
2012048526.tif 000015
【図１４】
2012048526.tif 000016
【図１５】
2012048526.tif 000017
【図１６】
2012048526.tif 000018
【図１７】
2012048526.tif 000019
【図１８】
2012048526.tif 000020
【図１９】
2012048526.tif 000021
【図２０】
2012048526.tif 000022
【図２１】
2012048526.tif 000023